(57)【要約】【課題】本発明は、視覚的に解像感の良い動画像を得られる撮像装置を提供する。【解決手段】デジタルカメラ１は、二次元状に配列された複数のフォトダイオードと、複数のフォトダイオードのうち、一部の行選択線に接続されたフォトダイオードから画素信号を読み出す垂直走査回路と、を有し、この読み出した画素信号に基づいて画像データを生成するＣＭＯＳセンサ２０１と、ＣＭＯＳセンサ２０１で生成された画像データを、プログレッシブ表示が可能なデータ形式に変換する信号処理プロセッサ２０３と、ＣＭＯＳセンサ２０１に画像データを順次生成させるＣＰＵ２１１と、を備える。そして、ＣＰＵ２１１は、ＣＭＯＳセンサ２０１に画像データを順次生成させる場合、連続して生成される画像データ間で、画素信号を読み出す一部の行選択線を異なるようにする。【選択図】図２
2010109666.tif 000002
【特許請求の範囲】
【請求項１】
二次元状に配列された複数の光電変換素子と、行方向で光電変換素子に接続される複数の行選択線と、当該複数の行選択線のうち、一部の行選択線に接続された光電変換素子から画素信号を読み出す行読出手段と、を有し、当該行読出手段で読み出された画素信号に基づいて画像データが生成可能な撮像手段と、
前記撮像手段で生成された画像データを、プログレッシブ表示が可能なデータ形式に変換する画像変換手段と、
前記撮像手段に画像データを順次生成させる制御手段と、
を備え、
前記制御手段は、
前記撮像手段に画像データを順次生成させる場合、連続して生成される画像データ間で、画素信号を読み出す一部の行選択線を異なるようにする、
撮像装置。
【請求項２】
画像を表示可能な表示手段と、
前記画像変換手段で変換された画像データを、前記表示手段に表示させる表示制御手段と、
をさらに備える請求項１に記載の撮像装置。
【請求項３】
前記撮像手段は、前記一部の行選択線に接続された光電変換素子から画素信号を読み出す際、当該行選択線の画素信号同士で画素混合読み出しを行なう、
請求項１に記載の撮像装置。
【発明の詳細な説明】
【技術分野】
【０００１】
本発明は、動画像を生成可能な撮像装置に関する。
【背景技術】
【０００２】
従来から、動画像を生成可能な撮像装置が提案されている。特許文献１に記載の撮像装置は、スミアを低減した動画像を生成することを目的としている。
【０００３】
この特許文献１には、「動画像を表示する動画モニタや動画像を記録媒体に記録する動画像記録を行なう際の動画撮影モード時に、固体撮像素子から出力される撮像信号に含まれるスミア成分を検出し、スミア成分のレベルに応じて動画撮影モード時の画素の間引き量を変更するとともに、この画素間引き量の変更に応じて、固体撮像素子を高速駆動して垂直転送路の信号電荷を高速転送する。」と記載されている。
【特許文献１】特開２００３−２３４９６４号公報
【発明の開示】
【発明が解決しようとする課題】
【０００４】
ところで、現在の撮像装置は、動画像を生成する場合、撮像素子に１秒当たり３０フレームや６０フレーム等の画像データを生成させるようにしている。これは、１秒当たりのフレーム数を多くすることで、動画像の見た目を滑らかにするためである。
【０００５】
ここで撮像装置は、撮像素子の画素数が多い場合、例えば、１秒当たり３０フレームの画像データを生成させるため、画素信号の読み出しを高速化するようにしている。例えば、ある撮像装置では、撮像素子に画素信号を行間引きして読み出させることで、画素信号の読み出しの高速化を図っている。
【０００６】
しかし、このように撮像素子に画素信号の行間引き読み出しを行なわせた場合、生成した画像データがギザギザしてしまい好ましくない可能性がある。例えば、図５の左のようなＣＭＯＳセンサにおいて、Ａラインの画素信号のみを読み出させた場合、図５の右のような画像データが生成される。撮像装置は、このような画像データを液晶モニタ等に順次表示させると、同様に、解像感のよくない動画像となる。例えば、図６のように、Ａラインのみから読み出した画像データを、液晶モニタ等に順次表示させるようになる。
【０００７】
そこで本発明は、上記課題を解決するために、視覚的に解像感の良い動画像を得られる撮像装置を提供することを目的とする。
【課題を解決するための手段】
【０００８】
すなわち、本発明の撮像装置は、二次元状に配列された複数の光電変換素子と、行方向で光電変換素子に接続される複数の行選択線と、当該複数の行選択線のうち、一部の行選択線に接続された光電変換素子から画素信号を読み出す行読出手段と、を有し、当該行読出手段で読み出された画素信号に基づいて画像データが生成可能な撮像手段と、前記撮像手段で生成された画像データを、プログレッシブ表示が可能なデータ形式に変換する画像変換手段と、前記撮像手段に画像データを順次生成させる制御手段と、を備える。そして前記制御手段は、前記撮像手段に画像データを順次生成させる場合、連続して生成される画像データ間で、画素信号を読み出す一部の行選択線を異なるようにする。
【０００９】
このようにすれば、撮像手段から出力された画像データをプログレッシブ表示が可能なデータ形式に変換する撮像装置において、撮像手段に画像データを順次生成させる際、連続した生成される画像データ間で、画素信号を読み出す一部の行選択線を異なるようにすることができる。
【００１０】
また、好ましくは、画像を表示可能な表示手段と、前記画像変換手段で変換された画像データを、前記表示手段に表示させる表示制御手段と、をさらに備える。
【００１１】
また、好ましくは、前記撮像手段は、前記一部の行選択線に接続された光電変換素子から画素信号を読み出す際、当該行選択線の画素信号同士で画素混合読み出しを行なう。
【発明の効果】
【００１２】
本発明は、撮像手段から出力された画像データをプログレッシブ表示が可能なデータ形式に変換する撮像装置において、撮像手段に画像データを順次生成させる際、連続した生成される画像データ間で、画素信号を読み出す一部の行選択線を異なるようにする。したがって、本発明は、視覚的に解像感の良い動画像を得ることができる。
【発明を実施するための最良の形態】
【００１３】
以下、本発明の一実施の形態を、図面を参照して説明する。本実施の形態は、デジタルカメラに適用した例を説明する。
（実施の形態１）
〔１．デジタルカメラの概要〕
デジタルカメラ１は、ＣＭＯＳセンサ２０１と、信号処理プロセッサ２０３と、液晶モニタ２０５と、ＣＰＵ２１１と、を備える。ＣＭＯＳセンサ２０１は、行方向及び列方向に配列された複数のフォトダイオードと、複数のフォトダイオードのうち、一部の行選択線（ライン）に接続されたフォトダイオードから画素信号を読み出す垂直走査回路と、を有する。これによって、ＣＭＯＳセンサ２０１は、読み出した画素信号に基づいて画像データを生成する。信号処理プロセッサ２０３は、ＣＭＯＳセンサ２０１から出力された画像データを、プログレッシブ表示が可能なデータ形式に変換する。
【００１４】
ＣＰＵ２１１は、ＣＭＯＳセンサ２０１を制御して、動画像を生成させる。つまり、ＣＰＵ２１１は、ＣＭＯＳセンサ２０１に画像データを順次生成させる。ＣＰＵ２１１は、ＣＭＯＳセンサ２０１に画像データを順次生成させる場合、連続して生成される画像データ間で、画素信号を読み出す一部の行選択線を異なるようにする。つまり、ＣＭＯＳセンサ２０１は、（３ｎ−２）ライン目（ｎ＝１，…）の行選択線において、フォトダイオードから読み出した画素信号に基づき画像データを生成する。この後、ＣＭＯＳセンサ２０１は、（３ｎ−１）ライン目の行選択線において、フォトダイオードから読み出した画素信号に基づき画像データを生成する。ＣＭＯＳセンサ２０１では、ＣＰＵ２１１の制御に従って、これらの読み出しを繰り返す。
【００１５】
信号処理プロセッサ２０３は、ＣＭＯＳセンサ２０１で生成された画像データを、プログレッシブ表示が可能なデータ形式に変換する。つまり、信号処理プロセッサ２０３は、（３ｎ−２）ライン目の行選択線において読み出した画素信号が入力された場合、（３ｎ−２）ライン目の画素信号を、ｎライン（表示ライン）に対応付ける。図７の場合、１ライン目を１ライン（表示ライン）目、４ライン目を２ライン（表示ライン）目、７ライン目を、３ライン（表示ライン）目のように対応づける。一方、信号処理プロセッサ２０３は、（３ｎ−１）ライン目の行選択線において読み出した画素信号が入力された場合、（３ｎ−１）ライン目の画素信号を、ｎライン（表示ライン）に対応付ける。図７の場合、２ライン目を１ライン（表示ライン）目、５ライン目を２ライン（表示ライン）目、８ライン目を、３ライン（表示ライン）目のように対応づける。これによって、プログレッシブ表示が可能なデータ形式に変換できる。なお、信号処理プロセッサ２０３では、ＣＭＯＳセンサ２０１から入力された画像データを、プログレッシブ表示が可能なデータ形式に変換した後、ＹＣ処理等の画像処理を施す。信号処理プロセッサ２０３は、画像処理を施した画像データを、液晶モニタ２０５に出力する。
【００１６】
したがって、デジタルカメラ１では、ＣＭＯＳセンサ２０１で生成され、信号処理プロセッサ２０３で画像処理された画像データを、液晶モニタ２０５に繰り返し表示させる。例えば、図８のようにＡラインにおける画像データを表示した後、Ｂラインにおける画像データを表示させる。このようにデジタルカメラ１では、読み出しラインの異なる画像データが順次表示される。
【００１７】
これによって、液晶モニタ２０５に表示される動画像は、視覚的に解像感の良い画像となる。
〔２．構成〕
〔２−１  全体構成の概要〕
図１は、本実施の形態に係るデジタルカメラ１の斜視図である。図２は、本実施の形態に係るデジタルカメラ１の構成図である。
【００１８】
本実施の形態のデジタルカメラ１は、カメラ本体２と、カメラ本体２に着脱可能な交換レンズ３と、を備える。
【００１９】
カメラ本体２は、ＣＭＯＳセンサ２０１、タイミングジェネレータ２２０、メカシャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、およびスピーカー２１５を備える。
【００２０】
また交換レンズ３は、レンズマウント３０１、ズームレンズ３０３やフォーカスレンズ３０４、ＯＩＳレンズ３０５を含むレンズ系、フォーカスレンズ３０４を駆動するフォーカス駆動部３０６、ＯＩＳレンズ３０５を駆動するＯＩＳ駆動部３２０、絞り３０７、絞り３０７を駆動する絞り駆動部３０８、ズームリング３０９、フォーカスリング３１０、レンズコントローラ３１１、バッファメモリ３１２、ズームレンズ位置検出器３１３、フラッシュメモリ３１４、およびジャイロセンサー３３０を備える。
【００２１】
以下、本実施の形態に関係する構成を詳細に説明する。
【００２２】
〔２−２  カメラ本体２の構成〕
カメラ本体２は、交換レンズ３によって集光された被写体像を撮像して、撮像した画像データを記憶媒体に記録できるように構成されている。
【００２３】
ＣＭＯＳセンサ２０１は、複数の光電変換素子（例えば、フォトダイオード）と、ＡＧＣ（ゲイン・コントロール・アンプ）と、ＡＤコンバータを含んで構成される。フォトダイオードは、レンズ系によって集光された光学的信号を電気信号に変換し、画素信号を生成する。またＡＧＣは、フォトダイオードから出力された電気信号を増幅するものである。ＡＤコンバータは、ＡＧＣから出力された電気信号をデジタル信号に変換するものである。なお、ＣＭＯＳセンサ２０１は、タイミングジェネレータ２２０から受信した制御信号に従って、露光、転送、電子シャッタなどの各種の制御動作を行う。タイミングジェネレータ２２０は、ＣＰＵ２１１に制御される。
【００２４】
なお、本実施の形態では、ＣＭＯＳセンサ２０１の前面に、原色カラーフィルタが設けられている。このため本実施の形態において、奇数ライン目の行選択線が接続された複数のフォトダイオードでは、ＲとＧの画素信号が蓄積され、偶数ライン目の行選択線が接続された複数のフォトダイオードでは、ＧとＢの画素信号が蓄積されるように構成されている。
【００２５】
ＣＭＯＳセンサ２０１は、二次元状に配列された複数のフォトダイオードと、フォトダイオードに接続される行選択線（行ライン）と、フォトダイオードに接続される行リセット線と、フォトダイオードに接続される列信号線と、を有している。また、ＣＭＯＳセンサ２０１は、行選択線及び行リセット線に接続された垂直走査回路と、列信号線に接続された水平走査回路と、を有している。これによって、ＣＭＯＳセンサ２０１は、行リセット線（実際には、複数のフォトダイオードが接続された行リセット線）毎に順次露光を開始させ、行選択線（実際には、複数のフォトダイオードに蓄積された画素信号を行選択線）毎に順次読み出す。そして、ＣＭＯＳセンサ２０１は、行選択線毎に順次読み出された画素信号を、列信号を用いて読み出す。なお、メカシャッタ２０２は、通常、開放された状態で保持されており、レンズ系を通過した光がＣＭＯＳセンサ２０１に入射している。
【００２６】
フォトダイオードに対して設定された露光時間で露光を行なわせる方法について説明する（図４）。まず、ＣＭＯＳセンサ２０１は、垂直走査回路が行リセット線を用いて、リセット電圧をフォトダイオードに与える。ＣＭＯＳセンサ２０１のフォトダイオードは、蓄積された電荷をフォトダイオードから掃き出す。例えば、タイミングジェネレータ２２０が、ＣＭＯＳセンサ２０１の垂直走査回路に、リセット信号を与える。垂直走査回路は、リセット信号に応じて、１ライン目の行リセット線にリセット電圧を与える。これによって、１ライン目におけるフォトダイオードの電荷をリセットさせる（図４のリセット動作）。このリセット動作後、１ライン目に配置された複数のフォトダイオードでは、露光が開始される。ＣＭＯＳセンサ２０１は、設定された露光時間経過後に、１ライン目のフォトダイオードに蓄積された電荷を読み出すための処理を行う（図４の読み出し動作）。この際、タイミングジェネレータ２２０は、垂直走査回路に読み出し信号を与える。垂直走査回路は、読み出し信号に応じて、１ライン目の行選択線に読み出し電圧を与える。これによって、１ライン目におけるフォトダイオードから電荷を画素信号として読み出し、回路上に保持する。
【００２７】
次に、タイミングジェネレータ２２０は、水平走査回路に転送信号を与える。水平走査回路は、転送信号に応じて、列信号線を用いて、行選択線によって回路上に保持された画素信号を選択し、順次転送する（図３）。１ライン目の列信号線で転送（読み出し）が終わると、水平走査回路を２ライン目の列信号線に切り替え、同様の処理を行う。これによって、走査線毎の画素信号の読み出しを可能にしている。なお、本実施の形態では、水平走査回路で画素信号を転送する際、隣接する同じ色の画素と画素混合を行なうことができるように構成されている。例えば、３画素混合の場合、１，３，５ライン目の列信号で転送される画素信号を混合する。また、７、９、１１ライン目の列信号で転送される画素信号を混合する。このように混合することで、列方向の画素数を減らすことができる。これによって、ＣＭＯＳセンサ２０１から出力される画像データの画像サイズ（縦横の画素比）を調整できるようにしている。
【００２８】
ここで本実施の形態では、ＣＰＵ２１１の制御に応じて、ＣＭＯＳセンサ２０１の全行選択線又は一部の行選択線から画素信号を読み出せるようにしている。
【００２９】
つまり、全部の行選択線から画素信号を読み出す場合、ＣＭＯＳセンサ２０１は、１ライン目からＮライン目までの全行選択線から画素信号を読み出す。例えば、図４ＢのようにＣＭＯＳセンサ２０１が２８ラインの行選択線を有する場合、ＣＭＯＳセンサ２０１は、１ライン目から２８ライン目まで画素信号を順次読み出し、画像データを生成する。
【００３０】
また、一部の行選択線から画素信号を読み出す場合、ＣＭＯＳセンサ２０１は、（３ｎ−２）ライン（ｎ＝１，…）における行選択線から画素信号を読み出す。例えば、図４ＡのようにＣＭＯＳセンサが２８ラインの行選択線を有する場合、ＣＭＯＳセンサ２０１は、１ライン目、４ライン目、７ライン目、１０ライン目、…２７ライン目、３０ライン目等から画素信号を読み出して、画像データを生成する。
【００３１】
メカシャッタ２０２は、レンズ系を介して入射された、ＣＭＯＳセンサ２０１に対する光学的信号の遮断又は通過を切り替える。メカシャッタ２０２は、メカシャッタ駆動部によって駆動される。メカシャッタ駆動部は、モータ、バネ等の機構部品からなり、ＣＰＵ２１１の制御によって、メカシャッタ２０２を駆動する。要するに、メカシャッタ２０２は、開けたり閉じたりして、ＣＭＯＳセンサ２０１に当たる光の量を時間的に調整するものである。
【００３２】
信号処理プロセッサ２０３（ＤＳＰ）は、ＡＤコンバータによってデジタル信号に変換された画像データに、所定の画像処理を施すものである。所定の画像処理としては、ガンマ変換、ＹＣ変換、電子ズーム処理、圧縮処理、伸張処理等が考えられるが、これに限られるものではない。ここで信号処理プロセッサ２０３は、ＣＭＯＳセンサ２０１からスルー画像用の画像データが出力された場合、１、４、７、１０ライン等において読み出された画素信号を取得することになる。ここで撮像素子に用いられているカラーフィルタが、原色フィルタの場合、１ライン目の画素信号には、ＲとＧの画素信号、４ライン目の画素信号には、ＢとＧの画素信号が含まれることになる。したがって、これらの画素信号を用いて、画像データの補間を行なうことで、表示される画像データを生成するようにしている。
【００３３】
信号処理プロセッサ２０３は、ＣＭＯＳセンサ２０１から入力された画像データを、プログレッシブ表示が可能なデータ形式に変換可能である。具体的に説明する。信号処理プロセッサ２０３は、ＣＭＯＳセンサ２０１から一部の行選択線から読み出された画像データが入力される場合がある。例えば、信号処理プロセッサ２０３が、（３ｎ−２）ラインから読み出した画像データを受信したとする。この場合、信号処理プロセッサ２０３は、３ｎ−２ライン目から読み出した画素信号を、ｎライン目に対応づけて記憶する。これによって、ｎライン（ｎ＝１，…）に変換された画像データが作成させる。信号処理プロセッサ２０３は、この変換された画像データに、画像処理を施す。なお、信号処理プロセッサ２０３のこれらの処理は、バッファメモリ２０４上で処理を行うことが可能である。また、信号処理プロセッサ２０３は、画像処理を施した後、液晶モニタ２０５に表示可能な形式に変換する。信号処理プロセッサ２０３は、例えば、液晶モニタ２０５の持つ画素数に対応した画像データに拡大又は縮小する等が考えられるが、これに限られない。
【００３４】
バッファメモリ２０４は、信号処理プロセッサ２０３で処理を行う際、および、ＣＰＵ２１１で制御処理を行う際に、ワークメモリとして作用する。バッファメモリ２０４は、例えば、ＤＲＡＭなどで実現可能である。
【００３５】
液晶モニタ２０５は、カメラ本体２の背面に配置されるものであり、ＣＭＯＳセンサ２０１で生成された画像データまたはその画像データに所定の処理が施された画像データを表示可能である。ここで液晶モニタ２０５に入力される画像信号は、信号処理プロセッサ２０３から液晶モニタ２０５に出力される際、ＤＡコンバータによってデジタル信号からアナログ信号に変換される。
【００３６】
電子ビューファインダー２０６は、カメラ本体２に配置されるものであり、ＣＭＯＳセンサ２０１で生成された画像データまたはその画像データに所定の処理が施された画像データを表示可能である。電子ビューファインダー２０６に入力される画像信号も同様に、信号処理プロセッサ２０３から電子ビューファインダー２０６に出力される際、ＤＡコンバータによってデジタル信号からアナログ信号に変換される。
【００３７】
ここで液晶モニタ２０５と電子ビューファインダー２０６への表示は、表示切替手段２１７によって、一方に表示されるようにしている。すなわち、液晶モニタ２０５に画像が表示されている間は、電子ビューファインダー２０６には何も表示されない。また、電子ビューファインダー２０６に画像が表示されている間は、液晶モニタ２０５には何も表示されないように構成されている。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５との電気的な接続が切断され、信号処理プロセッサ２０３と電子ビューファインダー２０６とが電気的に接続される。なお上記に限られず、表示切替手段２１７は、ＣＰＵ２１１などから制御信号に基づいて、液晶モニタ２０５と電子ビューファインダー２０６への表示の切り替えを行なってもよい。
【００３８】
以上のように、液晶モニタへの表示と、電気ビューファインダーへの表示とを切り替えるようにしている。但し、これは、構成上の制限からくる問題であるため、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００３９】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にＣＰＵ２１１の制御のためのプログラムや設定値などを記憶可能である。
【００４０】
ＣＰＵ２１１は、カメラ本体２の各部を制御するものである。ＣＰＵ２１１は、マイクロコンピュータで実現してもよく、ハードワイヤードな回路で実現してもよい。すなわち、ＣＰＵ２１１は、各種の制御を実行する。
【００４１】
シャッタスイッチ２１２は、カメラ本体２の上面に設けられた釦であり、使用者からの半押しおよび全押し操作を検知する。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。なお、本実施の形態において全押し信号は、撮影開始信号である。
【００４２】
モード切替ダイヤル２２１は、カメラ本体２の外装に取り付けられた操作部材である。モード切替ダイヤル２２１は、略円形形状で構成され、使用者が回動操作することによって、使用者が複数の制御モードから一つの制御モードを選択できるようにしている。すなわち、モード切替ダイヤル２１１は、複数の制御モードの内、一つの制御モードを選択できるようにするため、所定の位置に移動された制御モードを検知できるようにしている。複数の制御モードには、「静止画撮影モード」、「動画撮影モード」、又は「再生モード」などが含まれる。例えば、モード切替ダイヤルの上面に記載された「静止画撮影モード」を示す画像が、所定の位置（選択位置）に移動されると、モード切替ダイヤル２２１は、「静止画撮影モード」に変更されたことを示すモード切替信号をＣＰＵ２１１に出力する。これによって、制御モードの切り替えを検知できるようにしている。
【００４３】
〔２−３  交換レンズ３の構成〕
交換レンズ３は、従来技術と同様であるため、説明を割愛する。
【００４４】
〔２−４  実施の形態１と本発明の対応関係〕
デジタルカメラ１は、本発明の撮像装置の一例である。ＣＭＯＳセンサ２０１は、本発明の撮像手段の一例である。フォトダイオードは、本発明の光電変換素子の一例である。行選択線は、本発明の行選択線の一例である。垂直走査回路は、本発明の行読出手段の一例である。信号処理プロセッサ２０３は、本発明の画像変換手段の一例である。ＣＰＵ２１１は、本発明の制御手段の一例である。液晶モニタ２０５は、本発明の表示手段の一例である。信号処理プロセッサ２０３は、本発明の表示制御手段の一例である。
〔３．動作〕
上記のように構成したデジタルカメラ１の動作例を、図９のフローチャートを用いて説明する。下記の動作例は、デジタルカメラ１がスルー画像を液晶モニタ２０５に表示をする際の動作である。
【００４５】
デジタルカメラ１は、電源がＯＮの状態において、モードが「静止画撮影モード」又は「動画撮影モード」に設定されると以下の動作を行なう。
【００４６】
まず、ＣＰＵ２１１は、バッファメモリ２０４に読み出しフラグとして、「０」を設定する（Ａ１）。この後、ＣＰＵ２１１は、バッファメモリ２０４に記憶された読み出しフラグが「０」であるかを判別する（Ａ２）。
【００４７】
ＣＰＵ２１１は、読み出しフラグが「０」である場合、ＣＭＯＳセンサ２０１を制御して、（３ｎ−２）ライン目から画素信号を読み出させ、画像データを生成させる（Ａ３）。この際、ＣＰＵ２１１は、読み出しフラグを「１」に設定して、バッファメモリ２０４に記憶する（Ａ４）。一方、ＣＰＵ２１１は、読み出しフラグが「１」である場合、ＣＭＯＳセンサ２０１を制御して、（３ｎ−１）ライン目から画素信号を読み出させ、画像データを生成させる（Ａ５）。この際ＣＰＵ２１１は、読み出しフラグを「０」に設定して、バッファメモリ２０４に記憶する（Ａ６）。なお、ＣＭＯＳセンサ２０１は、生成された画像データを信号処理プロセッサ２０３に出力する。
【００４８】
次に、ＣＰＵ２１１は、信号処理プロセッサ２０３を制御して、入力された画像データを、プログレッシブ表示可能なデータ形式に変換させる（Ａ７）。この際信号処理プロセッサ２０３は、変換した画像データに画像処理を施す。この後、ＣＰＵ２１１は、信号処理プロセッサ２０３を制御して、画像処理を施した画像データを、液晶モニタ２０５又は電子ビューファインダー２０６に出力させる（Ａ８）。
【００４９】
これによって、ＣＭＯＳセンサ２０１で順次生成される画像データ間で、画素信号を読み出した一部の行選択線を異なるようにすることができる。このようにすれば、図８のように、Ａラインの行選択線で読み出した画像データと、Ｂラインの行選択線で読み出した画像データを、プログレッシブ表示で、交互に表示することが可能になる。
【００５０】
このため、デジタルカメラ１は、視覚的に解像感の良い動画像を表示することができる。
〔４．まとめ〕
本実施の形態のデジタルカメラ１は、二次元状に配列された複数のフォトダイオードと、複数のフォトダイオードのうち、一部の行選択線に接続されたフォトダイオードから画素信号を読み出す垂直走査回路と、を有し、この読み出した画素信号に基づいて画像データを生成するＣＭＯＳセンサ２０１と、ＣＭＯＳセンサ２０１で生成された画像データを、プログレッシブ表示が可能なデータ形式に変換する信号処理プロセッサ２０３と、ＣＭＯＳセンサ２０１に画像データを順次生成させるＣＰＵ２１１と、を備える。そして、ＣＰＵ２１１は、ＣＭＯＳセンサ２０１に画像データを順次生成させる場合、連続して生成される画像データ間で、画素信号を読み出す一部の行選択線を異なるようにする。
【００５１】
このようにすれば、ＣＭＯＳセンサから出力された画像データをプログレッシブ表示が可能なデータ形式に変換するデジタルカメラにおいて、ＣＭＯＳセンサに画像データを順次生成させる際、連続した生成される画像データ間で、画素信号を読み出す一部の行選択線を異なるようにすることができる。つまり、従来では、図６の目で見える画像のように、目の残像でＡの画像とＡの画像を平均的にした情報が見える。一方、本実施の形態では、図８の目で見える画像のように、目の残像でＡの画像とＢの画像を平均的にした情報が見える。したがって、本実施の形態によれば、がたがたした画像を抑えることができ、より解像感の良い動画像となる。
（他の実施の形態）
本発明の実施の形態として、実施の形態１を例示した。しかし、本発明は、実施の形態１に限定されず、他の実施の形態においても実現可能である。そこで、本発明の他の実施の形態を以下にまとめて説明する。
【００５２】
実施の形態１では、ＣＭＯＳセンサが、行方向のフォトダイオードから読み出された画素信号を画素混合するようにした。しかし、これに限られない。例えば、ＣＭＯＳセンサでは、行方向の画素信号を画素混合せず、画像処理プロセッサで、画像データを縮小するようにしてもよい。つまり、ＣＭＯＳセンサは、一部の行選択線においてフォトダイオードから画素信号を読み出し、画像データを生成する。信号処理プロセッサでは、入力された画像データを縮小する。つまり、信号処理プロセッサは、ＣＭＯＳセンサから入力された画像データが１０行×３０列の画像データである場合、１０行×１０列の画像データになるように画像を縮小する。
【００５３】
また、実施の形態１では、原色フィルタを、ＣＭＯＳセンサの前面に配置するようにした。しかし、これに限られず、補色フィルタを、ＣＭＯＳセンサの前面に配置するようにしてもよい。
【００５４】
さらに、実施の形態１では、（３ｎ−２）ライン目と、（３ｎ−１）ライン目と、によって生成される画像データを交互に表示するようにした。つまり、図７で説明すると、Ａラインと、Ｂラインと、によって生成される画像データを交互に表示するようにした。しかし、これに限られず、図７の場合、Ａラインと、Ｂラインと、Ｃラインと、によって生成される画像データを、Ａ、Ｂ、Ｃ、Ａ、Ｂ、Ｃ、のように順次表示してもかまわない。つまり、連続して表示される画像データ間で、読み出されたラインが異なればよい。
【００５５】
加えて、実施の形態１では、ＣＭＯＳセンサから順次生成した画像データを、表示手段に表示するようにした。しかし、これに限られず、順次生成した画像データを、記憶媒体（例えば、フラッシュメモリやメモリカード）に記憶するようにしてもかまわない。
【００５６】
実施の形態１は、交換レンズを着脱可能なカメラ本体に用いた例を説明した。しかし、これに限られず、コンパクトタイプのデジタルカメラにも適用可能である。
【００５７】
また、本実施の形態１は、制御手段としてＣＰＵ２１１を用いた例を説明した。しかし、これに限られず、制御手段として、タイミングジェネレータ２２０を用いてもよい。また、制御手段として、タイミングジェネレータ２２０及びＣＰＵ２１１を用いてもよい。
【００５８】
また、本実施の形態１は、撮像手段としてＣＭＯＳセンサ２０１を用いた。しかし、これに限られず、撮像手段は、ＣＣＤセンサであってもよい。
【００５９】
また、本実施の形態では、一部の行選択線から画素信号を読み出す際、（３ｎ−１）ラインと（３ｎ−２）ラインから読み出すようにした。しかし、これに限られず、例えば、（２ｎ）ラインと（２ｎ−１）ラインであってもよいし、（４ｎ−１）ラインと（４ｎ−２）ラインと（４ｎ−３）ラインであってもよい。つまり、連続して生成される画像データ間で、画素信号を読み出す一部の行選択線が異なればよい。
【００６０】
すなわち、本発明は、上記に限られず、種々の形態に利用可能である。
【産業上の利用可能性】
【００６１】
本発明は、デジタルスチルカメラ、ムービー、カメラ機能付き携帯電話等に適用可能である。
【図面の簡単な説明】
【００６２】
【図１】本発明の実施の形態１に係るデジタルカメラの斜視図
【図２】本発明の実施の形態に係るデジタルカメラの構成例を示すブロック図
【図３】本発明の実施の形態に係るＣＭＯＳセンサの読み出し動作を説明するための図
【図４】本発明の実施の形態に係るＣＭＯＳセンサの露光動作を説明するための図
【図５】本発明の課題を説明するための図
【図６】本発明の課題を説明するための図
【図７】本発明の実施の形態に係る間引き読み出しを説明するための図
【図８】本発明の実施の形態に係る動画像の表示例を説明するための図
【図９】本発明の実施の形態に係るデジタルカメラの動作例を説明するためのフローチャート
【符号の説明】
【００６３】
１    デジタルカメラ
２    カメラ本体
３    交換レンズ
２０１    ＣＭＯＳセンサ
２０２    メカシャッタ
２０３    信号処理プロセッサ
２０４    バッファメモリ
２０５    液晶モニタ
２０６    電子ビューファンダー
２０９    フラッシュメモリ
２１０    カードスロット
２１１    ＣＰＵ
２１８    メモリカード
２２０    タイミングジェネレータ
【図１】
2010109666.tif 000003
【図２】
2010109666.tif 000004
【図３】
2010109666.tif 000005
【図４】
2010109666.tif 000006
【図５】
2010109666.tif 000007
【図６】
2010109666.tif 000008
【図７】
2010109666.tif 000009
【図８】
2010109666.tif 000010
【図９】
2010109666.tif 000011